Podtech/llm-jp-corpus-v4-ja_patent huggingface dataset:
【手続補正書】
【提出日】平成18年2月21日(2006.2.21)
【手続補正１】
【補正対象書類名】特許請求の範囲
【補正対象項目名】全文
【補正方法】変更
【補正の内容】
【特許請求の範囲】
【請求項１】
試料中のＮＡＤＨ又はＮＡＤＰＨの有無を検出する、又はその濃度を決定する電気化学的方法であって、
―レダクターゼ及び酸化還元活性剤を前記試料と接触させ、かつ
―レダクターゼにより生成される還元された酸化還元活性剤の量を電気化学的手段により測定することを含む方法。
【請求項２】
酸化還元酵素の量もしくは活性又は基質の量もしくは活性をモニターする方法であって、酸化還元酵素が、コファクターとしてＮＡＤＰ、ＮＡＤＰＨ、ＮＡＤ＋又はＮＡＤＰ＋を使用し、請求項１記載の方法を実施することを含み、酸化還元活性剤と電極との間の電子移動が、酸化還元酵素の量もしくは活性又は基質の量もしくは活性と相関する、方法。
【請求項３】
ＮＡＤＨ又はＮＡＤＰＨが、付随して基質を酸化する酸化還元酵素によるＮＡＤ＋又はＮＡＤＰ＋の還元によって生成され、形成されるＮＡＤＨ又はＮＡＤＰＨの量が、存在する酸化還元酵素の量又はその基質の量に比例していて、それ故、試料中の酵素の検出もしくは定量化又は基質の検出もしくは定量化を可能にする、請求項１又は２記載の方法。
【請求項４】
酸化還元酵素が、デヒドロゲナーゼである、請求項２又は３記載の方法。
【請求項５】
レダクターゼが、ＮＡＤＨ又はＮＡＤＰＨから２個の電子を受け取ることができる、請求項１〜４のいずれか１項記載の方法。
【請求項６】
レダクターゼが、シュードモナスプチダ（Pseudomonas putida）からのシトクロームＰ４５０ｃａｍ酵素系のプチダレドキシンレダクターゼ、バチルスメガテリウム（Bacillus megaterium）からのＰ４５０ＢＭ−３酵素のフラビン（ＦＡＤ／ＦＭＮ）ドメイン、スピナチフェロドキシンレダクターゼ、ルブレドキシンレダクターゼ、アドレノドキシンレダクターゼ、硝酸レダクターゼ、シトクロームｂ５レダクターゼ、とうもろこしの硝酸レダクターゼ、テルプレドキシンレダクターゼ、及びイースト菌、ラット、ウサギ及びヒトＮＡＤＰＨシトクロームＰ４５０レダクターゼ又はそれらのいずれもの機能的誘導体から選択される、請求項１〜５のいずれか１項記載の方法。
【請求項７】
酸化還元活性剤が、Ｆｅ（ＣＮ）６３−、Ｒｕ（ＮＨ３）６３＋又はフェロセニウムモノカルボン酸（ＦＭＣＡ）である、請求項１〜６のいずれか１項記載の方法。
【請求項８】
レダクターゼが、ＮＡＤＨに対して特異的である、請求項１〜７のいずれか１項記載の方法。
【請求項９】
レダクターゼが、プチダレドキシンレダクターゼである、請求項８記載の方法。
【請求項１０】
レダクターゼが、ＮＡＤＰＨに対して特異的である、請求項１〜７のいずれか１項記載の方法。
【請求項１１】
レダクターゼが、Ｐ４５０ＢＭ−３フラビンドメイン又はスピナチフェロドキシンレダクターゼである、請求項１０記載の方法。
【請求項１２】
基質、酵素、ＮＡＤＨ又はＮＡＤＰＨの量の長期にわたるモニタリングを可能にする、請求項１〜１１のいずれか１項記載の方法。
【請求項１３】
酸化還元活性剤が、ジアフォラーゼ又は有機色素でない、請求項１〜１２のいずれか１項記載の方法。
【請求項１４】
試料中の基質の検出及び／又は定量のための電気化学的方法であって、その方法が
−  酸化還元酵素、ＮＡＤ+又はＮＡＤＰ+、レダクターゼ及び酸化還元活性剤と該試料を接触させる工程であって、酸化還元酵素が、コファクターとしてＮＡＤ+又はＮＡＤＰ+を使用して該基質を酸化又は還元する能力がある、工程；及び
−  電気化学的手段によって産生された、還元された酸化還元活性剤の量を測定する工程
を含む、方法。
【請求項１５】
酸化還元酵素、レダクターゼ及び酸化還元活性剤が、請求項４〜１１及び１３のいずれか１項に記載されたとおりである、請求項１４記載の方法。
【請求項１６】
作用電極、参照電極、及び場合により対電極を有する電極システム、及び（ｉ）目標検体をその生成物に変換するデヒドロゲナーゼ酵素、（ｉｉ）ＮＡＤ＋又はＮＡＤＰ＋、（ｉｉｉ）ＮＡＤＨ又はＮＡＤＰＨレダクターゼ、及び（ｉｖ）酸化還元活性剤、の緩衝された混合物を含む、電気化学的検出センサー。
【請求項１７】
レダクターゼ及び酸化還元活性剤が、請求項５〜１１及び１３のいずれか１項に記載されたとおりである、請求項１６記載のセンサー。
【請求項１８】
請求項１６又は１７に記載されたとおりのセンサーの操作方法であって、
−  目標検体を含む液体サンプルを、目標検体が酸化されるように酵素及び酸化還元剤の混合物と接触させ、レダクターゼを還元するＮＡＤＨ又はＮＡＤＰＨを産生し、その結果レダクターゼは酸化還元剤を還元し、それは作用電極のところで酸化される、工程；及び
−  生成された電流を測定する工程；
を含む方法。
【請求項１９】
ＮＡＤ＋、ＮＡＤＰ＋、ＮＡＤＨ、ＮＡＤＰＨが、ＮＡＤ＋、ＮＡＤＰ＋、ＮＡＤＨ又はＮＡＤＰＨ類似体である、請求項１〜１５及び１８のいずれか１項記載の方法。
【請求項２０】
―サンプル保持手段、
―レダクターゼ源、
―酸化還元活性剤、及び
―発生するいかなる電流でも検出及び／又は定量化する手段を含む、電気化学セル。
【請求項２１】
請求項１〜１５、１８及び１９のいずれか１項記載の方法を実施するために使用することができる、請求項２０記載の電気化学セル。
【誤訳訂正書】
【提出日】平成18年2月6日(2006.2.6)
【誤訳訂正１】
【訂正対象書類名】特許請求の範囲
【訂正対象項目名】請求項１
【訂正方法】変更
【訂正の内容】
【請求項１】
複数の一次元検出器ユニット（４１，４１ａ，４１’）を備える、対象物を二次元撮像するための走査ベースの放射線検出器の構成であって、各一次元検出器ユニットは、対象物を介して伝達されたイオン化放射線が入射し得る入射スリット（４３，４３ａ，４３’）を備え、かつ一次元撮像を行うように構成されており、
前記検出器ユニットは、同検出器ユニットの各入射スリット（４３，４３ａ，４３’）がイオン化放射線源の方向を向くようにアレイ状に配置され、
前記検出器の構成は、回転装置（４４，６４，７４，８６）を備えて検出器ユニットアレイをイオン化放射線の方向と直交する平面内にて前記対象物に対して回転させる一方、複数の一次元検出器ユニットは反復して検出を行うように構成されて、対象物の一連の二次元画像を形成し、
前記複数の一次元検出器ユニットは、同検出器ユニットの入射スリット（４３，４３ａ，４３’）が前記回転軸に関してほぼ径方向に延びるように円形に配列されて、
前記複数のほぼ径方向に延び、かつ隣接する２個の一次元検出器ユニット間の各角度は９０°以下である構成。
【誤訳訂正２】
【訂正対象書類名】特許請求の範囲
【訂正対象項目名】請求項６
【訂正方法】変更
【訂正の内容】
【請求項６】
前記円形の一次元検出器ユニットは、前記支持構造上において、対象物に対する一次元検出器ユニットアレイの回転の回転軸に関して同心円上に配列されている請求項３乃至５のいずれか一項に記載の構成。
【誤訳訂正３】
【訂正対象書類名】特許請求の範囲
【訂正対象項目名】請求項７
【訂正方法】変更
【訂正の内容】
【請求項７】
前記円形の一次元検出器ユニットは、前記支持構造上において、対象物に対する一次元検出器ユニットアレイの回転の回転軸に関して異心円上に配列されている請求項３乃至５
のいずれか一項に記載の構成。
【誤訳訂正４】
【訂正対象書類名】特許請求の範囲
【訂正対象項目名】請求項２０
【訂正方法】変更
【訂正の内容】
【請求項２０】
前記対象物の一連の二次元画像のうちの１個の二次元画像は、一次元検出器ユニットアレイが少なくとも２０°回転する毎に、好ましくは１０°回転する毎に、もっとも好ましくは５°回転する毎に形成される請求項１９に記載の方法。
【手続補正書】
【提出日】平成18年2月2日(2006.2.2)
【手続補正１】
【補正対象書類名】特許請求の範囲
【補正対象項目名】全文
【補正方法】変更
【補正の内容】
【特許請求の範囲】
【請求項１】
放射性医薬品バイアルの口部に固定された密封されたキャップに挿入される針を介して抜き取られる放射性医薬品を含有する放射性医薬品バイアル用の容器であって、該容器はバイアルを通って放射性医薬品によって放射される放射線から使用者を遮蔽するのに好適な材料でできており、該容器が、放射性医薬品のバイアルを収容できる空洞を有する透明材料でできたレセプタクルおよび容器の閉鎖のためにレセプタクルに結合する蓋からなり、該蓋が中央貫通孔を有することを特徴とする放射性医薬品バイアル用の容器。
【請求項２】
放射性医薬品のバイアルが可動性にレセプタクルの空洞に結合しており、容器が閉鎖された場合に蓋が放射性医薬品のバイアルの口部と接触し、蓋の中央貫通孔が放射性医薬品のバイアルのキャップの上に位置することを特徴とする、請求項１の容器。
【請求項３】
放射性医薬品により放射される放射線がβ-放射線であり、レセプタクルおよび蓋がポリメタクリル酸メチル製であることを特徴とする、請求項１の容器。
【請求項４】
レセプタクルおよび蓋の構成材料の厚さがそれに含まれるアイソトープのβ−放射エネルギーに依存することを特徴とする、請求項３の容器。
【請求項５】
放射性医薬品により放射される放射線がβおよびγ放射線であり、レセプタクルおよび蓋が添加剤として鉛を含有するポリメタクリル酸メチル製であることを特徴とする、請求項１の容器。
【請求項６】
蓋とレセプタクルがネジ連結によって結合することを特徴とする、請求項１の容器。
【請求項７】
請求項１の容器に収容されたバイアルから患者への放射性医薬品の注入または他の場所への放射性医薬品の移動のためのセットであって、放射性医薬品のバイアルを収容する容器と組み合わせて、以下から構成されるセット:
-生理食塩水を含有する生理食塩水ボトル;
-２つのコネクタを備えた注入カテーテルであって、一方のコネクタは生理食塩水のボトルへの針の挿入用であり、他方のコネクタは蓋の中央貫通孔を介する放射性医薬品のバイアルのキャップへの第２の針の挿入用であり、ここで針が放射性医薬品に浸漬しないようにされる注入カテーテル; 
-２つのコネクタを備えた第２の注入カテーテルであって、一方のコネクタは蓋の中央貫通孔を介する放射性医薬品のバイアルのキャップへの針の挿入用であり、他方のコネクタは患者の静脈または他の場所への第２の針の挿入用であり、第１の針は放射性医薬品のバイアルの底部に接触するに十分に長いものである第２の注入カテーテル。
【請求項８】
毒性薬品用の請求項１または２に記載された容器。
【請求項９】
毒性薬品用の請求項７に記載されたセット。
【請求項１０】
放射性医薬品が[18F]FDGを含有することを特徴とする、請求項５の容器。
【請求項１１】
放射性医薬品を患者に送達する第２の注入カテーテルが適当な遮蔽ガイドに収容されていることを特徴とする、請求項５または１０の容器。
【手続補正書】
【提出日】平成17年10月28日(2005.10.28)
【手続補正１】
【補正対象書類名】特許請求の範囲
【補正対象項目名】全文
【補正方法】変更
【補正の内容】
【特許請求の範囲】
【請求項１】
被測定ユニットの少なくとも１つのＲＦコネクタを介して、ＲＦ電力を該被測定ユニットに供給しかつ該被測定ユニットにより送信されたＲＦ電力を測定するＲＦ電力発生及び測定システムであって、
主要部と、
リンクにより前記主要部に接続されかつ前記被測定ユニットの前記ＲＦコネクタに接続可能な遠隔部と、を備え、
前記主要部は、前記リンク、前記遠隔部及び前記ＲＦコネクタを介してＲＦ電力を前記被測定ユニットに供給するＲＦ電力発生手段を含み、
前記遠隔部は前記ＲＦコネクタを介して前記被測定ユニットから受信したＲＦ電力を検出しかつ前記ＲＦコネクタで前記被測定ユニットに供給された前記ＲＦ電力を示すＲＦ電力を検出するセンサ手段を含み、
前記ＲＦ電力発生手段は前記センサ手段の出力に応じて制御され、それにより前記ＲＦコネクタで被測定ユニットに供給されるＲＦ電力が所定の値を有するＲＦ電力発生及び測定システム。
【請求項２】
前記センサ手段は、前記ＲＦコネクタを介して前記被測定ユニットから受信した前記ＲＦ電力を検出する第１のＲＦ電力センサと前記ＲＦコネクタで前記被測定ユニットに供給された前記ＲＦ電力を示すＲＦ電力を検出する第２のＲＦ電力センサと、を備える請求項１記載のシステム。
【請求項３】
前記遠隔部は前記リンクを介して前記ＲＦ電力発生手段から受信したＲＦ電力の所定の一部を前記被測定ユニットにルーティングする手段を含む請求項１または２記載のシステム。
【請求項４】
前記ルーティング手段が電力分配器である請求項３記載のシステム。
【請求項５】
前記ルーティング手段が方向性結合器である請求項３記載のシステム。
【請求項６】
前記遠隔部は第１減衰器を含みかつ前記ルーティング手段は前記ＲＦ電力の所定の一部を前記第１減衰器を介して前記被測定ユニットにルーティングするように構成される請求項３〜５のいずれか一項に記載のシステム。
【請求項７】
前記ルーティング手段は前記ＲＦ電力発生手段から受信した前記ＲＦ電力の別の所定の一部を前記センサ手段にルーティングするように構成される請求項３〜６のいずれか一項に記載のシステム。
【請求項８】
前記遠隔部は第２減衰器を含みかつ前記センサ手段は該第２減衰器を介して前記被測定ユニットからＲＦ電力を受信する請求項１〜５のいずれか一項に記載のシステム。
【請求項９】
前記遠隔部は、前記被測定ユニットの同一コネクタを介してＲＦ電力を、該被測定ユニットに供給しまた該被測定ユニットから受信もする送受切換器を含む請求項１〜８のいずれか一項に記載のシステム。
【請求項１０】
前記主要部は、前記リンクを介して前記センサ手段の出力を受信しかつ前記被測定ユニットにより送信されたＲＦ電力の測定値を得るために該出力を処理する第１電力計測手段を含む請求項１〜９のいずれか一項に記載のシステム。
【請求項１１】
前記主要部は、前記リンクを介して前記センサ手段の出力を受信しかつ前記被測定ユニットに供給されたＲＦ電力の測定値を得るために該出力を処理する第２電力計測手段を含む請求項１〜１０のいずれか一項に記載のシステム。
【請求項１２】
前記第２電力計測手段は前記センサ手段の受信出力に応じて前記ＲＦ電力発生手段を制御するように動作し、それにより前記ＲＦコネクタで前記被測定ユニットに供給された前記ＲＦ電力は前記所定の値を有する請求項１１記載のシステム。
【請求項１３】
前記リンクがフレキシブルリンクである請求項１〜１２のいずれか一項に記載のシステム。
【手続補正書】
【提出日】平成17年10月26日(2005.10.26)
【手続補正１】
【補正対象書類名】特許請求の範囲
【補正対象項目名】全文
【補正方法】変更
【補正の内容】
【特許請求の範囲】
【請求項１】
ＲＦ電力測定システムであって、
測定すべきＲＦ電力を第１測定信号に変換するための第１検出器と、
ＲＦ電力の基準供給源と、
前記第１検出器に熱的に結合された、前記基準供給源により生成されたＲＦ電力を第２測定信号に変換するための第２検出器と、
測定すべき前記ＲＦ電力を得るために所定の補正係数を同一温度で得られた前記第１及び第２測定信号に数値的に適用するための処理手段と、を備えるＲＦ電力測定システム。
【請求項２】
前記所定の補正係数は、前記第１検出器の所定の伝達関数に関係しておりかつ前記処理手段のメモリに格納されている請求項１記載のＲＦ電力測定システム。
【請求項３】
前記所定の補正係数は、測定すべきＲＦ電力の代わりにＲＦ校正源を使用する校正処理によって得られる前記第１測定信号と前記第２測定信号との比に比例する請求項２記載のＲＦ電力測定システム。
【請求項４】
前記処理手段はディジタイザを含み、また前記所定の補正係数は前記第１検出器及び前記第２検出器の前記所定の伝達関数に関係している請求項２または請求項３に記載のＲＦ電力測定システム。
【請求項５】
前記処理手段は前記ディジタイザを前記第１検出器及び前記第２検出器の出力に選択的に接続ための切換え手段を含む請求項４記載のＲＦ電力測定システム。
【請求項６】
ＲＦ電力を測定する方法であって、
測定すべきＲＦ電力を第１測定信号に変換するための第１検出器を使用するステップと、
前記第１検出器に熱的に結合された、基準供給源により生成されたＲＦ電力を第２測定信号に変換するための第２検出器を使用するステップと、
測定すべき前記ＲＦ電力の値を得るために所定の補正係数を前記第１及び第２測定信号に数値的に適用することにより同一温度で得られた前記第１及び第２測定信号を処理するステップと、を有するＲＦ電力を測定する方法。
【請求項７】
前記所定の補正係数は、前記第１検出器の所定の伝達関数に関係しておりかつメモリにあらかじめ格納されている請求項６記載の方法。
【請求項８】
前記所定の補正係数は、測定すべきＲＦ電力の代わりにＲＦ校正源を使用する校正処理によって得られる前記第１測定信号と前記第２測定信号との比に比例する請求項７記載の
方法。
【手続補正書】
【提出日】平成18年2月13日(2006.2.13)
【手続補正１】
【補正対象書類名】特許請求の範囲
【補正対象項目名】全文
【補正方法】変更
【補正の内容】
【特許請求の範囲】
【請求項１】
充填されたタバコロッド部分を画成するようにタバコ材料で一部分充填されたチューブ状タバコマットを含むシガレットであって、前記充填されたタバコロッド部分が前記シガレットの自由末端と隣合っており、前記シガレットが、充填されたタバコロッド部分を包囲するラッパーを含み、前記ラッパーがセルロース系ウェブ材料及び少なくとも一つの充填剤を含み、前記充填剤が、アンモニウム含有化合物を、タバコロッド部分の燃焼／熱分解により生成されるタバコ煙中の気体成分の含有量を減少させるのに有効な量で含むシガレット、ならびに、
少なくとも一つのヒーターブレード及び電力サイクルに従ってヒーターブレードの加熱を制御するように適合されたコントローラーを含むライターを含んでなり、
前記ライターは前記ヒーターブレードがシガレットの加熱領域を加熱するようにシガレットを少なくとも一部分収容するように配置されており、前記コントローラーはタバコ煙中の少なくとも一つの気体成分の含有量を減少させながらタバコ煙を生成させるように５００℃以下の温度に加熱領域の加熱を制限するように操作可能であり、前記少なくとも一つの気体成分は一酸化炭素、１，３−ブタンジエン、イソプレン、アクロレイン、アクリロニトリル、シアン化水素、ｏ−トルイジン、２−ナフチルアミン、酸化窒素、ベンゼン、ＮＮＮ、フェノール、カテコール、ベンゾ（ａ）アントラセン、及びベンゾ（ａ）ピレンを含む、
電気喫煙システム。
【請求項２】
前記ライターが複数のヒーターブレード及びソケットを有するヒーター取付具を含み、前記ソケットがタバコロッド部分の軸方向末端を閉塞する請求項１に記載の電気喫煙システム。
【請求項３】
タバコロッド部分の自由末端から距離を置いて位置している通孔領域を含む、請求項１に記載の電気喫煙システムで使用するためのシガレット。
【請求項４】
シガレットがフィルター材料を含む請求項３に記載のシガレット。
【請求項５】
前記チューブ状タバコマットに、円周方向に間隔を置いて位置する複数の通孔をさらに含んでなり、前記ラッパーが前記通孔を覆っている請求項３に記載のシガレット。
【請求項６】
前記充填剤がリン酸アンモニウムマグネシウム充填剤のみを含む請求項３に記載のシガレット。
【請求項７】
前記リン酸アンモニウムマグネシウム充填剤が一水和物形態のリン酸アンモニウムマグネシウムから本質的になる請求項６に記載のシガレット。
【請求項８】
電力サイクルに従って電池から電流をヒーターブレードに供給し、前記電力サイクルはタバコ煙中の少なくとも一つの気体成分の含有量を減少させながらタバコ煙を生成させるようにシガレットの加熱領域をヒーターブレードが加熱するような態様でコントローラーによって実行され、前記少なくとも一つの気体成分は一酸化炭素、１，３−ブタンジエン、イソプレン、アクロレイン、アクリロニトリル、シアン化水素、ｏ−トルイジン、２−ナフチルアミン、酸化窒素、ベンゼン、ＮＮＮ、フェノール、カテコール、ベンゾ（ａ）アントラセン、及びベンゾ（ａ）ピレンを含む、ことを特徴とする請求項１に記載の電気喫煙システムの使用方法。
【手続補正書】
【提出日】平成18年2月8日(2006.2.8)
【手続補正１】
【補正対象書類名】特許請求の範囲
【補正対象項目名】全文
【補正方法】変更
【補正の内容】
【特許請求の範囲】
【請求項１】
センス領域およびアンチセンス領域を含み，ＲＮＡ干渉（ＲＮＡｉ）によりヒト蛋白質チロシンホスファターゼ−１Ｂ（ＰＴＰ−１Ｂ）ＲＮＡの切断を指示する化学的に合成された二本鎖短干渉核酸（ｓｉＲＮＡ）分子であって，
ａ．前記ｓｉＲＮＡ分子の各領域は１８−２７ヌクレオチドの長さであり；
ｂ．前記ｓｉＲＮＡ分子のアンチセンス領域は，前記ＰＴＰ−１ＢＲＮＡのヌクレオチド配列に相補的なヌクレオチド配列を含み；センス領域はアンチセンス領域に相補的であり；かつ
ｃ．前記ｓｉＲＮＡ分子は，前記ｓｉＲＮＡ分子のセンス領域およびアンチセンス領域中に少なくとも１つの化学的に修飾されたヌクレオチドを含む，
ことを特徴とするｓｉＲＮＡ分子。
【請求項２】
前記ｓｉＲＮＡ分子がリボヌクレオチドを含まない，請求項１記載のｓｉＲＮＡ分子。
【請求項３】
前記ｓｉＲＮＡ分子が１またはそれ以上のリボヌクレオチドを含む，請求項１記載のｓｉＲＮＡ分子。
【請求項４】
前記化学的に修飾されたヌクレオチドが２’−デオキシヌクレオチドを含む，請求項１記載のｓｉＲＮＡ分子。
【請求項５】
前記化学的に修飾されたヌクレオチドが２’−デオキシ−２’−フルオロヌクレオチドを含む，請求項１記載のｓｉＲＮＡ分子。
【請求項６】
前記化学的に修飾されたヌクレオチドが２’−Ｏ−メチルヌクレオチドを含む，請求項１記載のｓｉＲＮＡ分子。
【請求項７】
前記化学的に修飾されたヌクレオチドがホスホロチオエートヌクレオチド間結合を含む，請求項１記載のｓｉＲＮＡ分子。
【請求項８】
前記化学的に修飾されたヌクレオチドが無塩基成分を含む，請求項１記載のｓｉＲＮＡ分子。
【請求項９】
前記無塩基成分が反転デオキシ無塩基成分を含む，請求項８記載のｓｉＲＮＡ分子。
【請求項１０】
前記センス領域がリンカー分子を介してアンチセンス領域と連結されている，請求項１記載のｓｉＲＮＡ分子。
【請求項１１】
前記リンカー分子がポリヌクレオチドリンカーである，請求項１０記載のｓｉＲＮＡ分子。
【請求項１２】
前記リンカー分子が非ヌクレオチドリンカーである，請求項１０記載のｓｉＲＮＡ分子。
【請求項１３】
センス領域中に存在する１またはそれ以上のピリミジンヌクレオチドが２’−Ｏ−メチルピリミジンヌクレオチドである，請求項１記載のｓｉＲＮＡ分子。
【請求項１４】
センス領域中に存在する１またはそれ以上のプリンヌクレオチドが２’−デオキシプリンヌクレオチドである，請求項１記載のｓｉＲＮＡ分子。
【請求項１５】
センス領域中に存在する１またはそれ以上のピリミジンヌクレオチドが２’−デオキシ−２’−フルオロピリミジンヌクレオチドである，請求項１記載のｓｉＲＮＡ分子。
【請求項１６】
センス領域が，センス領域の５’末端，３’末端，または５’末端および３’末端の両方に末端キャップ成分を含む，請求項１記載のｓｉＲＮＡ分子。
【請求項１７】
前記末端キャップ成分が反転デオキシ無塩基成分である，請求項１６記載のｓｉＲＮＡ分子。
【請求項１８】
前記アンチセンス領域の１またはそれ以上のピリミジンヌクレオチドが２’−デオキシ−２’−フルオロピリミジンヌクレオチドである，請求項１記載のｓｉＲＮＡ分子。
【請求項１９】
前記アンチセンス領域の１またはそれ以上のプリンヌクレオチドが２’−Ｏ−メチルプリンヌクレオチドである，請求項１記載のｓｉＲＮＡ分子。
【請求項２０】
前記アンチセンス領域の１またはそれ以上のプリンヌクレオチドが２’−デオキシ−プリンヌクレオチドを含む，請求項１記載のｓｉＲＮＡ分子。
【請求項２１】
前記アンチセンス領域が前記アンチセンス領域の３’末端に末端ホスホロチオエートヌクレオチド間結合を含む，請求項１記載のｓｉＲＮＡ分子。
【請求項２２】
アンチセンス領域の５’末端が末端リン酸基を含む，請求項１記載のｓｉＲＮＡ分子。
【請求項２３】
薬学的に許容しうる担体または希釈剤中に請求項１記載のｓｉＲＮＡ分子を含む組成物。
【手続補正書】
【提出日】平成18年8月4日(2006.8.4)
【手続補正１】
【補正対象書類名】特許請求の範囲
【補正対象項目名】全文
【補正方法】変更
【補正の内容】
【特許請求の範囲】
【請求項１】
ＲＮＡ干渉（ＲＮＡｉ）によりＣ型肝炎ウイルス（ＨＣＶ）ＲＮＡの切断を指示する化学的に合成された二本鎖短干渉核酸（ｓｉＮＡ）分子であって，
ａ．前記ｓｉＮＡ分子の各鎖は約１９−約２８ヌクレオチドを含み；
ｂ．前記ｓｉＮＡ分子の一方の鎖は，前記ＨＣＶＲＮＡに対してｓｉＮＡ分子がＲＮＡ干渉によりＨＣＶ  ＲＮＡの切断を指示するのに十分な相補性を有するヌクレオチド配列を含み；
ｃ．前記ｓｉＮＡ分子中の内部ヌクレオチド位置の少なくとも約２０％が修飾ヌクレオチドを含み；および
ｄ．前記修飾ヌクレオチドは，前記ｓｉＮＡ分子が未修飾ｓｉＲＮＡ分子と比較してＲＮＡｉを媒介する能力を保持している，
ことを特徴とするｓｉＮＡ分子。
【請求項２】
前記ｓｉＮＡ分子がリボヌクレオチドを含まない，請求項１記載のｓｉＮＡ分子。
【請求項３】
前記ｓｉＮＡ分子が１またはそれ以上のリボヌクレオチドを含む，請求項１記載のｓｉＮＡ分子。
【請求項４】
各鎖が他方の鎖のヌクレオチドに相補的な少なくとも約１９ヌクレオチドを含む，請求項１記載のｓｉＮＡ分子。
【請求項５】
ｓｉＮＡ分子が２つの別々のオリゴヌクレオチドフラグメントから組み立てられ，一方のフラグメントは前記ｓｉＮＡ分子のセンス領域を含み，および第２のフラグメントは前記ｓｉＮＡ分子のアンチセンス領域を含む，請求項１記載のｓｉＮＡ分子。
【請求項６】
アンチセンス領域およびセンス領域はそれぞれ約１９−約２３ヌクレオチドを含み，アンチセンス領域はセンス領域のヌクレオチドに相補的な少なくとも約１９ヌクレオチドを含む，請求項５記載のｓｉＮＡ分子。
【請求項７】
センス領域がリンカー分子を介してアンチセンス領域と連結されている，請求項５記載のｓｉＮＡ分子。
【請求項８】
リンカー分子がポリヌクレオチドリンカーである，請求項７記載のｓｉＮＡ分子。
【請求項９】
リンカー分子が非ヌクレオチドリンカーである，請求項７記載のｓｉＮＡ分子。
【請求項１０】
センス領域中のピリミジンヌクレオチドが２’−Ｏ−メチルピリミジンヌクレオチドである，請求項５記載のｓｉＮＡ分子。
【請求項１１】
センス領域中のプリンヌクレオチドが２’−デオキシプリンヌクレオチドである，請求項５記載のｓｉＮＡ分子。
【請求項１２】
センス領域中に存在するピリミジンヌクレオチドが２’−デオキシ−２’−フルオロピリミジンヌクレオチドである，請求項５記載のｓｉＮＡ分子。
【請求項１３】
センス領域を含むフラグメントが，フラグメントの５’末端，３’末端，または５’末端および３’末端の両方に末端キャップ成分を含む，請求項６記載のｓｉＮＡ分子。
【請求項１４】
末端キャップ成分が反転デオキシ無塩基成分である，請求項１３記載のｓｉＮＡ分子。
【請求項１５】
アンチセンス領域のピリミジンヌクレオチドが２’−デオキシ−２’−フルオロピリミジンヌクレオチドである，請求項５記載のｓｉＮＡ分子。
【請求項１６】
アンチセンス領域のプリンヌクレオチドが２’−Ｏ−メチルプリンヌクレオチドである，請求項５記載のｓｉＮＡ分子。
【請求項１７】
アンチセンス領域中に存在するプリンヌクレオチドが２’−デオキシ−プリンヌクレオチドを含む，請求項５記載のｓｉＮＡ分子。
【請求項１８】
アンチセンス領域が３’末端にホスホロチオエートヌクレオチド間結合を含む，請求項１５記載のｓｉＮＡ分子。
【請求項１９】
アンチセンス領域が３’末端にグリセリル修飾を含む，請求項５記載のｓｉＮＡ分子。
【請求項２０】
ｓｉＮＡ分子の２つのフラグメントのそれぞれが２１ヌクレオチドを含む，請求項６記載のｓｉＮＡ分子。
【請求項２１】
ｓｉＮＡ分子の各フラグメントの約１９ヌクレオチドがｓｉＮＡ分子の他方のフラグメントの相補的ヌクレオチドと塩基対形成形成しており，各フラグメントの少なくとも２つの３’末端ヌクレオチドが他方のフラグメントのヌクレオチドと塩基対形成していない，請求項２０記載のｓｉＮＡ分子。
【請求項２２】
ｓｉＮＡ分子の各フラグメントの２つの３’末端ヌクレオチドのそれぞれが２’−デオキシ−ピリミジンである，請求項２１記載のｓｉＮＡ分子。
【請求項２３】
２’−デオキシピリミジンが２’−デオキシ−チミジンである，請求項２２記載のｓｉＮＡ分子。
【請求項２４】
ｓｉＮＡ分子の各フラグメントのすべてのヌクレオチドがｓｉＮＡ分子の他方のフラグメントの相補的ヌクレオチドと塩基対形成している，請求項２０記載のｓｉＮＡ分子。
【請求項２５】
アンチセンス領域のヌクレオチドがＨＣＶ遺伝子またはその一部によりコードされるＲＮＡのヌクレオチド配列と相補的である，請求項２０記載のｓｉＮＡ分子。
【請求項２６】
センス領域のヌクレオチドがアンチセンス鎖のヌクレオチド配列またはその一部と相補的である，請求項２０記載のｓｉＮＡ分子。
【請求項２７】
アンチセンス領域を含むフラグメントの５’末端が任意にリン酸基を含んでいてもよい，請求項６記載のｓｉＮＡ分子。
【請求項２８】
許容しうる担体または希釈剤中に請求項１記載のｓｉＮＡ分子を含む医薬組成物。
【請求項２９】
修飾ヌクレオチドが２’−糖修飾ヌクレオチドである，請求項１記載のｓｉＮＡ分子。
【請求項３０】
２’−糖修飾が，２’−Ｈ，２’−Ｏ−アルキル，２’−Ｏ−ＣＦ３，２’−デオキシ−２’−フルオロから選択される，請求項２９記載のｓｉＮＡ分子。
【請求項３１】
ｓｉＮＡ分子中のヌクレオチド位置の少なくとも約３０％が修飾ヌクレオチドを含む，請求項１記載のｓｉＮＡ分子。
【請求項３２】
ｓｉＮＡ分子中のヌクレオチド位置の少なくとも約４０％が修飾ヌクレオチドを含む，請求項１記載のｓｉＮＡ分子。
【請求項３３】
ｓｉＮＡ分子中のヌクレオチド位置の少なくとも約５０％が修飾ヌクレオチドを含む，請求項１記載のｓｉＮＡ分子。
【請求項３４】
修飾ヌクレオチドがｓｉＮＡ分子の一方の鎖または両方の鎖に存在する，請求項１記載のｓｉＮＡ分子。
【請求項３５】
ＨＣＶ  ＲＮＡがＨＣＶマイナス鎖ＲＮＡを含む，請求項１記載のｓｉＮＡ分子。
【請求項３６】
ＨＣＶ  ＲＮＡがＨＣＶプラス鎖ＲＮＡを含む，請求項１記載のｓｉＮＡ分子。
【手続補正書】
【提出日】平成18年8月4日(2006.8.4)
【手続補正１】
【補正対象書類名】特許請求の範囲
【補正対象項目名】全文
【補正方法】変更
【補正の内容】
【特許請求の範囲】
【請求項１】
ＲＮＡ干渉（ＲＮＡｉ）により標的ＲＮＡの切断を指示する化学的に合成された二本鎖短干渉核酸（ｓｉＮＡ）分子であって，
（ａ）前記ｓｉＮＡ分子の各鎖は１９−２３ヌクレオチドの長さであり；および
（ｂ）前記ｓｉＮＡ分子の一方の鎖は，前記標的ＲＮＡに対して，ｓｉＮＡ分子がＲＮＡ干渉により標的ＲＮＡの切断を指示するのに十分な相補性を有するヌクレオチド配列を含み，および前記ｓｉＮＡ分子中のヌクレオチド位置の少なくとも２０％は修飾ヌクレオチドを含み；および
（ｃ）前記ｓｉＮＡ分子は，未修飾ｓｉＲＮＡ分子と比較して，ＲＮＡｉを媒介する類似するかまたは改良された能力を有する，
ことを特徴とするｓｉＮＡ分子。
【請求項２】
前記ｓｉＮＡ分子がリボヌクレオチドを含まない，請求項１記載のｓｉＮＡ分子。
【請求項３】
前記ｓｉＮＡ分子がリボヌクレオチドを含む，請求項１記載のｓｉＮＡ分子。
【請求項４】
ｓｉＮＡ分子の各鎖は１９−２３ヌクレオチドを含み，各鎖は他方の鎖のヌクレオチドに相補的な少なくとも１９ヌクレオチドを含む，請求項１記載のｓｉＮＡ分子。
【請求項５】
アンチセンス領域およびセンス領域はそれぞれ１９−２３ヌクレオチドを含み，およびアンチセンス領域はセンス領域のヌクレオチドに相補的な少なくとも１９ヌクレオチドを含む，請求項１記載のｓｉＮＡ分子。
【請求項６】
前記ｓｉＮＡ分子は２つの別々のオリゴヌクレオチドフラグメントから組み立てられており，一方のフラグメントは前記ｓｉＮＡ分子のセンス領域を含み，第２のフラグメントは前記ｓｉＮＡ分子のアンチセンス領域を含む，請求項５記載のｓｉＮＡ分子。
【請求項７】
前記センス領域がリンカー分子を介してアンチセンス領域と連結されている，請求項５記載のｓｉＮＡ分子。
【請求項８】
前記リンカー分子がポリヌクレオチドリンカーである，請求項７記載のｓｉＮＡ分子。
【請求項９】
前記リンカー分子が非ヌクレオチドリンカーである，請求項７記載のｓｉＮＡ分子。
【請求項１０】
センス領域中のピリミジンヌクレオチドが２’−Ｏ−メチルピリミジンヌクレオチドである，請求項５記載のｓｉＮＡ分子。
【請求項１１】
センス領域中のプリンヌクレオチドが２’−デオキシプリンヌクレオチドである，請求項５記載のｓｉＮＡ分子。
【請求項１２】
センス領域中に存在するピリミジンヌクレオチドが２’−デオキシ−２’−フルオロピリミジンヌクレオチドである，請求項５記載のｓｉＮＡ分子。
【請求項１３】
前記センス領域を含むフラグメントは，前記センス領域を含むフラグメントの５’末端，３’末端，または５’末端および３’末端の両方に末端キャップ成分を含む，請求項６記載のｓｉＮＡ分子。
【請求項１４】
前記末端キャップ成分が反転デオキシ無塩基成分である，請求項１３記載のｓｉＮＡ分子。
【請求項１５】
前記アンチセンス領域のピリミジンヌクレオチドが２’−デオキシ−２’−フルオロピリミジンヌクレオチドである，請求項５記載のｓｉＮＡ分子。
【請求項１６】
前記アンチセンス領域のプリンヌクレオチドが２’−Ｏ−メチルプリンヌクレオチドである，請求項５記載のｓｉＮＡ分子。
【請求項１７】
前記アンチセンス領域中に存在するプリンヌクレオチドが２’−デオキシ−プリンヌクレオチドを含む，請求項５記載のｓｉＮＡ分子。
【請求項１８】
前記アンチセンス領域は，前記アンチセンス領域の３’末端にホスホロチオエートヌクレオチド間結合を含む，請求項１５記載のｓｉＮＡ分子。
【請求項１９】
前記アンチセンス領域が，前記アンチセンス領域の３’末端にグリセリル修飾を含む，請求項５記載のｓｉＮＡ分子。
【請求項２０】
前記ｓｉＮＡ分子の２つのフラグメントのそれぞれが２１ヌクレオチドを含む，請求項６記載のｓｉＮＡ分子。
【請求項２１】
ｓｉＮＡ分子の各フラグメントの１９ヌクレオチドは，ｓｉＮＡ分子の他方のフラグメントの相補的ヌクレオチドと塩基対形成しており，ｓｉＮＡ分子の各フラグメントの少なくとも２つの３’末端ヌクレオチドはｓｉＮＡ分子の他方のフラグメントのヌクレオチドと塩基対形成していない，請求項２０記載のｓｉＮＡ分子。
【請求項２２】
ｓｉＮＡ分子の各フラグメントの２つの３’末端ヌクレオチドのそれぞれが２’−デオキシピリミジンである，請求項２１記載のｓｉＮＡ分子。
【請求項２３】
前記２’−デオキシ−ピリミジンが２’−デオキシ−チミジンである，請求項２２記載のｓｉＮＡ分子。
【請求項２４】
ｓｉＮＡ分子の各フラグメントの２１ヌクレオチドすべてがｓｉＮＡ分子の他方のフラグメントの相補的ヌクレオチドと塩基対形成している，請求項２０記載のｓｉＮＡ分子。
【請求項２５】
アンチセンス領域の１９ヌクレオチドが，標的遺伝子によりコードされるＲＮＡのヌクレオチド配列またはその一部と塩基対形成している，請求項２０記載のｓｉＮＡ分子。
【請求項２６】
アンチセンス領域の２１ヌクレオチドが標的遺伝子によりコードされるＲＮＡのヌクレオチド配列またはその一部と塩基対形成している，請求項２０記載のｓｉＮＡ分子。
【請求項２７】
前記アンチセンス領域を含むフラグメントの５’末端が任意にリン酸基を含んでいてもよい，請求項６記載のｓｉＮＡ分子。
【請求項２８】
許容しうる担体または希釈剤中に請求項１記載のｓｉＮＡ分子を含む医薬組成物。
【請求項２９】
前記修飾ヌクレオチドが２’−糖修飾ヌクレオチドである，請求項１記載のｓｉＮＡ分子。
【請求項３０】
前記２’−糖修飾が，２’−Ｈ，２’−Ｏ−アルキル，２’−Ｏ−ＣＦ３および２’−デオキシ−２’−フルオロからなる群より選択される，請求項２９記載のｓｉＮＡ分子。
【請求項３１】
前記ｓｉＮＡ分子のヌクレオチド位置の少なくとも３０％が修飾ヌクレオチドを含む，請求項１記載のｓｉＮＡ分子。
【請求項３２】
前記ｓｉＮＡ分子のヌクレオチド位置の少なくとも４０％が修飾ヌクレオチドを含む，請求項１記載のｓｉＮＡ分子。
【請求項３３】
前記ｓｉＮＡ分子のヌクレオチド位置の少なくとも５０％が修飾ヌクレオチドを含む，請求項１記載のｓｉＮＡ分子。
【請求項３４】
前記修飾ヌクレオチドが，ｓｉＮＡ分子の一方の鎖または両方の鎖に存在する，請求項１記載のｓｉＮＡ分子。
【手続補正書】
【提出日】平成18年2月13日(2006.2.13)
【手続補正１】
【補正対象書類名】特許請求の範囲
【補正対象項目名】全文
【補正方法】変更
【補正の内容】
【特許請求の範囲】
【請求項１】
幹または前駆細胞と胚様幹細胞とを含む組成物。
【手続補正書】
【提出日】平成18年1月18日(2006.1.18)
【手続補正１】
【補正対象書類名】特許請求の範囲
【補正対象項目名】全文
【補正方法】変更
【補正の内容】
【特許請求の範囲】
【請求項１】
ヌクレオチド配列が、野生型ａｖｅＣ対立遺伝子が失活されており且つ突然変異ヌクレオチド配列を含むポリヌクレオチド分子を発現するストレプトミセスアベルミティリス（Ｓｔｒｅｐｔｏｍｙｃｅｓ  ａｖｅｒｍｉｔｉｌｉｓ）菌株ＡＴＣＣ５３６９２の細胞がアベルメクチンのクラス２：１比を産生することができ、この比は、代わりに野生型ａｖｅＣ対立遺伝子のみを発現するＳ．ａｖｅｒｍｉｔｉｌｉｓ菌株ＡＴＣＣ５３６９２の細胞により産生される比と比較して減少しているものであるような、配列番号２（ＳＥＱ  ＩＤ  ＮＯ：２）のアミノ酸位置に対するアミノ酸残基においてアミノ酸置換の組み合せをコードする突然変異をさらに含むことを除いて、Ｓ．ａｖｅｒｍｉｔｉｌｉｓ  ａｖｅＣの対立遺伝子、プラスミドｐＳＥ１８６（ＡＴＣＣ２０９６０４）のＳ．ａｖｅｒｍｉｔｉｌｉｓ  ＡｖｅＣ遺伝子産物コード配列若しくは配列番号１（ＳＥＱ  ＩＤ  ＮＯ：１）記載のＳ．ａｖｅｒｍｉｔｉｌｉｓのａｖｅＣ  ＯＲＦのヌクレオチド配列又はその縮重変異体と同じであるヌクレオチド配列を含むポリヌクレオチド分子であって、ここで、クラス２：１アベルメクチンがシクロヘキシルＢ２：シクロヘキシルＢ１アベルメクチンであるとき、クラス２：１アベルメクチン比は０．３５：１以下であり、かつ、ここで、前記アミノ酸の組み合せが、
【化１】
2005517406.tif 000001
【化２】
2005517406.tif 000002
【化３】
2005517406.tif 000003
【化４】
2005517406.tif 000004
から成る群から選ばれる組み合せを含む、前記ポリヌクレオチド分子。
【請求項２】
前記アミノ酸置換の組み合せが、グループ（ｅａ）：Ｄ４８Ｅ、Ａ６１Ｔ、Ｒ７１Ｌ、Ａ８９Ｔ、Ｌ１３６Ｐ、Ｔ１４９Ｓ、Ｆ１７６Ｃ、Ｇ１７９Ｓ、Ｖ１９６Ａ、Ｅ２３８Ｄ、Ｉ２８０Ｖの組み合せを含む、請求項１に記載のポリヌクレオチド分子。
【請求項３】
前記シクロヘキシルＢ２：シクロヘキシルＢ１アベルメクチン比が、約０．２０：１以下である、請求項１又は２に記載のポリヌクレオチド分子。
【請求項４】
前記シクロヘキシルＢ２：シクロヘキシルＢ１アベルメクチン比が、約０．１０：１以下である、請求項１又は２に記載のポリヌクレオチド分子。
【請求項５】
請求項１、２、３又は４に記載のポリヌクレオチド分子を含む組換えベクター。
【請求項６】
請求項５に記載の組換えベクターを含む宿主細胞。
【請求項７】
ストレプトミセス（Ｓｔｒｅｐｔｏｍｙｃｅｓ）の細胞である、請求項６に記載の宿主細胞。
【請求項８】
ストレプトミセスアベルミティリス（Ｓｔｒｅｐｔｏｍｙｃｅｓ  ａｖｅｒｍｉｔｉｌｉｓ）の細胞である、請求項７に記載の細胞。
【請求項９】
（ｉ）ストレプトミセスアベルミティリス（Ｓｔｒｅｐｔｏｍｙｃｅｓ  ａｖｅｒｍｉｔｉｌｉｓ）菌株の細胞におけるａｖｅＣ対立遺伝子を突然変異させて、当該突然変異によりＡｖｅＣ遺伝子産物におけるアミノ酸置換の組み合せを生じさせるか、又は（ｉｉ）Ｓ．ａｖｅｒｍｉｔｉｌｉｓ菌株の細胞に、アミノ酸置換の組み合せを含むＡｖｅＣ遺伝子産物をコードしている突然変異させたａｖｅＣ対立遺伝子又はその縮重変異体を導入することを含む、Ｓ．ａｖｅｒｍｉｔｉｌｉｓ菌株の製造方法であって、ここで、前記突然変異させたａｖｅＣ対立遺伝子又は縮重変異体を含む細胞が、シクロヘキシルＢ２：シクロヘキシルＢ１アベルメクチンを０．３５：１以下の比で産生できるものであり、かつ、ここで、前記アミノ酸置換の組み合せが、
【化５】
2005517406.tif 000005
【化６】
2005517406.tif 000006
【化７】
2005517406.tif 000007
【化８】
2005517406.tif 000008
から成る群から選ばれる組み合せを含む前記方法。
【請求項１０】
前記アミノ酸置換の組み合せが、グループ（ｅａ）：Ｄ４８Ｅ、Ａ６１Ｔ、Ｒ７１Ｌ、Ａ８９Ｔ、Ｌ１３６Ｐ、Ｔ１４９Ｓ、Ｆ１７６Ｃ、Ｇ１７９Ｓ、Ｖ１９６Ａ、Ｅ２３８Ｄ、Ｉ２８０Ｖの組み合せを含む、請求項９に記載の方法。
【請求項１１】
前記シクロヘキシルＢ２：シクロヘキシルＢ１アベルメクチン比が、約０．２０：１以下である、請求項１０に記載の方法。
【請求項１２】
前記シクロヘキシルＢ２：シクロヘキシルＢ１アベルメクチン比が、約０．１０：１以下である、請求項１又は２に記載のポリヌクレオチド分子。
【請求項１３】
以下の：
【化９】
2005517406.tif 000009
【化１０】
2005517406.tif 000010
【化１１】
2005517406.tif 000011
【化１２】
2005517406.tif 000012
から成る群から選ばれるアミノ酸置換の組み合せを含む、ＡｖｅＣ遺伝子産物をコードする突然変異ストレプトミセスアベルミティリス（Ｓ．ａｖｅｒｍｉｔｉｌｉｓ）ａｖｅＣ対立遺伝子又はその縮重変異体を含むストレプトミセス種の細胞。
【請求項１４】
前記アミノ酸置換の組み合せが、グループ（ｅａ）：Ｄ４８Ｅ、Ａ６１Ｔ、Ｒ７１Ｌ、Ａ８９Ｔ、Ｌ１３６Ｔ、Ｔ１４９Ｓ、Ｆ１７６Ｃ、Ｇ１７９Ｓ、Ｖ１９６Ａ、Ｅ２３８Ｄ、Ｉ２８０Ｖの組み合せを含む、請求項１３に記載の細胞。
【請求項１５】
ストレプトミセスアベルミティリス（Ｓｔｒｅｐｔｏｍｙｃｅｓ  ａｖｅｒｍｉｔｉｌｉｓ）の細胞である、請求項１３又は１４に記載の細胞。
【請求項１６】
アベルメクチンの製造方法であって、培養基からアベルメクチンの生産を許容し又は誘導する条件下、当該培養基中で請求項１５に記載のストレプトミセスアベルミティリスの細胞株を培養し、そして当該培養液からアベルメクチンを回収することを含む前記方法。
【請求項１７】
請求項１５に記載のストレプトミセスアベルミティリスの細胞により製造されるミクロヘキシルＢ２：シクロヘキシルＢ１アベルメクチンの組成物であって、当該組成物は、当該細胞が培養された培養基中に存在するシクロヘキシルＢ２：シクロヘキシルＢ１アベルメクチンを含み、ここで、当該培養基中に存在するシクロヘキシルＢ２：シクロヘキシルＢ１アベルメクチン比は０．３５：１以下である、前記組成物。
【手続補正書】
【提出日】平成18年1月10日(2006.1.10)
【手続補正１】
【補正対象書類名】特許請求の範囲
【補正対象項目名】全文
【補正方法】変更
【補正の内容】
【特許請求の範囲】
【請求項１】
サンプル中の標的核酸の定量化方法であって、以下のステップ：
(1)既知の標準品と組み合わせてPicoGreen（登録商標）dsDNA定量試薬を使用して、上記サンプル中の核酸の総量を正確に定量化し；
(2)リアルタイムPCRプライマー及びプローブを使用して上記標的核酸を増幅して、一定量の単位複製配列を作製し；
(3)上記単位複製配列に基づいて基準プラスミドを構築し；
(4)蛍光発光プローブを使用して様々な既知量の上記プラスミドを用いたリアルタイムPCR反応の蛍光発光基準曲線を作成し；
(5)上記サンプルのアリコートを用いたリアルタイムPCRを実施して上記標的核酸を増幅し、そして蛍光発光プローブの結合に起因する蛍光発光を得；そして
(6)上記ステップ(5)の蛍光発光の結果を上記ステップ(4)の基準曲線と相関させて、上記サンプル中に存在する総核酸量当たりのコピー数として上記標的核酸を定量化する、
を含む前記定量化方法。
【請求項２】
定量化され、そして前記ステップ(4)の蛍光発光の基準曲線を作成するのに使用される前記プラスミドを準備するために、前記ステップ(2)の単位複製配列を前記ステップ(3)においてベクター中にクローニングする、請求項1に記載の方法。
【請求項３】
前記ステップ(5)のリアルタイムPCR反応に、前記ステップ(2)で使用された前記リアルタイム・プライマーを使用する、請求項1又は2に記載の方法。
【請求項４】
蛍光発光検出用サーモサイクラーを使用して、前記ステップ(2)とステップ(5)の両方を実施する、請求項1〜3のいずれか1項に記載の方法。
【請求項５】
前記蛍光発光基準曲線を、一定量の前記単位複製配列又はコピー数として表されたクローン化単位複製配列に対する前記リアルタイムPCR反応の閾値サイクル(CT)の自然対数を使用して作成する、請求項1〜4のいずれか1項に記載の方法。
【請求項６】
前記標的核酸がRNAを含む、請求項1〜5のいずれか1項に記載の方法。
【請求項７】
前記ステップ(2)及び(5)において、前記RNAから構築されたcDNAを前記標的核酸として使用する、請求項1〜6のいずれか1項に記載の方法。
【請求項８】
前記サンプル中のタンパク質レベルを、サンプル中のmRNAのレベルに対して相対的に定量化する、請求項1〜7のいずれか1項に記載の方法。
【請求項９】
前記ステップ(2)で使用される前記標的核酸が、前記サンプル以外の起源に由来する、請求項1〜8のいずれか1項に記載の方法。
【請求項１０】
前記ステップ(4)及び(5)が同じ反応プレート内で実施される、請求項1〜9のいずれか1項に記載の方法。
【請求項１１】
前記標的核酸量が、サイトカイン量に正比例する、請求項1〜10のいずれか1項に記載の方法。
【請求項１２】
前記リアルタイムPCR反応に、IFN-γ又はIL4に特異的な所定のアッセイ試薬(PDAR)を使用する、請求項11に記載の方法。
【請求項１３】
前記リアルタイムPCR反応に、IFN-γに対するプライマーとプローブ（配列番号3）、IL2に対するプライマーとプローブ（配列番号6）、IL10に対するプライマーとプローブ（配列番号9）及び/又はTNF-αに対するプライマーとプローブ（配列番号12）を使用する、請求項11に記載の方法。
【手続補正書】
【提出日】平成18年2月13日(2006.2.13)
【手続補正１】
【補正対象書類名】特許請求の範囲
【補正対象項目名】全文
【補正方法】変更
【補正の内容】
【特許請求の範囲】
【請求項１】
注射器において、
注入される物質を入れるように構成された物質チャンバを画定している物質容器と、
前記物質を患者の体内に注入するように構成されている注入導管と、
前記注入導管を通して前記物質を押し出すために前記物質チャンバに関係付けられているドライバと、
前記物質を注入するために前記物質容器を前記注入導管に流体連通させる流路を画定している流路部材と、
前記物質容器から前記流路を通って前記注入導管に物質が流れるのを遮断する閉位置を有し、前記物質を注入するために前記流路と前記物質容器を流体連通させるため開位置まで移動させることのできる遮断栓と、
前記ドライバに作動的に関係付けられ、前記遮断栓を前記開位置まで移動させて前記物質を患者の体内に注入するのに十分なだけ、前記ドライバが前記物質を押し出せるよう、ユーザーが作動できるようになっている発射機構と、を備えている注射器。
【請求項２】
前記遮断栓を前記開位置まで移動させることと、前記物質を患者の体内に注入することの両方を行うように前記ドライバを駆動するように構成されたエネルギー源を更に備えている、請求項１に記載の注射器。
【請求項３】
前記発射機構は、ユーザーが作動させることのできるトリガ機構を備えており、前記トリガを１回作動させるだけで、前記エネルギー源が作動して、前記遮断栓を前記開位置に移動させ、且つ前記物質を患者の体内に注入する、請求項２に記載の注射器。
【請求項４】
前記注射器は完全に組み立てられると、前記遮断栓が前記閉位置にあって前記物質の発射に備えた状態にある、上記請求項の何れかに記載の注射器。
【請求項５】
実質的に全ての注入される物質が、前記ドライバと前記遮断栓の間に配置されている、上記請求項の何れかに記載の注射器。
【請求項６】
前記ドライバはプランジャを備え、前記プランジャと前記遮断栓は、共に前記容器内で滑動可能である、請求項５に記載の注射器。
【請求項７】
前記注入導管は針を備えている、上記請求項の何れかに記載の注射器。
【請求項８】
前記注入導管は、前記物質を流体噴射状に発射させて患者の組織を透通できるように構成された針なしジェットノズルを備えている、上記請求項の何れかに記載の注射器。
【請求項９】
前記物質を前記容器から前記注入導管に送出するように構成された送出導管を更に備えており、前記流路は、前記送出導管内に画定され、前記閉位置では前記遮断栓により遮断され開位置では前記遮断部材で遮断されない物質入口を有している、上記請求項の何れかに記載の注射器。
【請求項１０】
前記物質を前記容器から前記注入導管に送出するように構成された送出導管を更に備えており、前記流路は、前記遮断栓内に画定され、前記送出導管は、前記遮断栓が閉位置にある時には前記流路を閉鎖するように前記流路内に収められ、前記遮断栓が開位置にある時は該流路から離れる突起を備えている、請求項１から８の何れかに記載の注射器。
【請求項１１】
前記物質容器は、前記注入導管に隣接する遠位端を有し、前記栓は前記遠位端に配置され、前記栓の開位置は、前記閉位置よりも前記注入導管に近い第１方向に位置し、前記流路は、前記物質を前記注入導管へ送出するための、前記物質入口から前記第１方向に配置された物質出口を有している、上記請求項の何れかに記載の注射器。
【請求項１２】
前記容器は前記遠位端を含むカートリッジを備えており、前記栓は、前記開位置では前記遠位端に配置され、前記開位置では前記カートリッジの外側に配置されている、上記請求項の何れかに記載の注射器。
【請求項１３】
前記流路は、前記流路部材の内側表面に沿う溝を備えており、前記溝の第１端は前記入口を備えている、上記請求項の何れかに記載の注射器。
【手続補正書】
【提出日】平成18年1月31日(2006.1.31)
【手続補正１】
【補正対象書類名】明細書
【補正対象項目名】００１３
【補正方法】変更
【補正の内容】
【００１３】
典型的には、約５００個までのオリフィス、たとえば約５０〜約４００、たとえば１００〜３００個のオリフィスが爪に形成され得る。
【手続補正２】
【補正対象書類名】明細書
【補正対象項目名】００１７
【補正方法】変更
【補正の内容】
【００１７】
レーザーに加え、レーザーベースのデバイスには、１またはそれ以上の以下の要素が含まれ得る：
（a）  たとえばクランプにより爪を固定するが、爪甲は覆いのないままである支持体；
（b）  爪の所望の領域においてレーザービームの位置を合わせるためのコンピューター制御ｘｙｚトランスレーションステージモジュール（computer controlled xyz translation module）。好ましくは、支持体（a）がこのトランスレーションステージにのせられ得、その結果、レーザービームが固定され、そして足指または手指が動く。別の方法では、足指または手指を固定し得、そして反射要素（たとえば鏡）をトランスレーションステージにのせ、爪甲の選択された場所にレーザービームを移動させ得る；
（c）  鏡、たとえばダイクロイックミラーまたはプリズムが、レーザー（複数も可）からのレーザービームを同軸上に混成させるために使用され得る；
（d）  少なくとも１つのレンズを含んでなる光学フォーカス素子；
（e）  オリフィスがコンピューター制御ｘｙｚトランスレーションステージ（b）により形成される爪甲の位置にレーザービーム（複数も可）をあて、そして／または異なるレーザーパラメーター（たとえばｘｙｚトランスレーションステージ（b）の所望の位置に到達した場合のレーザーの発射、またはレーザー出力、パルス時間、または波長（たとえば、レーザーが調整可能なレーザーである場合））を制御および／もしくは選択するために使用され得るビデオカメラまたは電荷結合デバイスカメラにより爪甲をモニターするコンピューター；
（f）  パーソナルコンピューター（e）のスクリーン上で爪甲をモニターするためのビデオカメラまたは電荷結合デバイスカメラ；
（g）  オリフィスが予め決められた深さ（たとえば爪床）に到達した後にレーザーが止まることを確実にするためのフィードバックセンサー（たとえば圧電物質でつくられた光音響センサー）；および
（h）  単回のショットにより１より多いオリフィス（たとえば等間隔のオリフィスのアレイ）をつくり、そしてそれによって、次モードで１つずつオリフィスをつくることを避けるための、レーザービーム（複数も可）を多重化するための光学素子（たとえばＤａｍｍａｎｎ型グレーティングのような回折光学素子）。
【手続補正書】
【提出日】平成18年2月10日(2006.2.10)
【手続補正１】
【補正対象書類名】特許請求の範囲
【補正対象項目名】全文
【補正方法】変更
【補正の内容】
【特許請求の範囲】
【請求項１】
高強度集束超音波トランスデューサーであって、
沸騰センサおよび／または空洞化センサ；ならびに
該沸騰センサおよび／または空洞化センサに接続された、複数のトランスデューサー要素を備える、高強度集束超音波トランスデューサー。
【請求項２】
前記沸騰センサおよび／または空洞化センサによって測定された結果を受けて、前記複数のトランスデューサー要素の各々によって放出されるエネルギー量を制御する、制御きをさらに備える、請求項１に記載の高強度集束超音波トランスデューサー。
【請求項３】
脂肪の厚さを測定するためのＡトレースセンサをさらに備える、請求項１または２に記載の高強度集束超音波トランスデューサー。